(57)【要約】      （修正有）【課題】重ね合わせ作業が容易で、しかも重ね合わせた状態での駐車スペースの有効も図ることができるトレイ搬送車の提供。【解決手段】前側枠部材と前側枠部材の両端から後方斜め外側へ伸びる両側枠部材７とからなり、後側が開放された平面から見て略台形状の上下一対の枠体２Ａ・２Ｂと、これら枠体２Ａ・２Ｂにおける上下の側枠部材７間に立設された左右一対の支柱３と、両支柱３の内側にその上下方向に所定間隔をあけて左右対称に架設された複数のトレイ支持用レール４と、下側枠体２Ｂの下面に取り付けられた複数の車輪５と、両枠体２Ａ・２Ｂにおける上下の側枠部材７の後端部同士を連結する縦枠部材８とを有し、各トレイ支持用レール４は前側または後側に向かって高くなる勾配が付されている。【選択図】図１
2007236758.tif 000002
【特許請求の範囲】
【請求項１】
前側枠部材と前側枠部材の両端から後方斜め外側へ伸びる両側枠部材とからなり、後側が開放された平面から見て略台形状の上下一対の枠体と、これら枠体における上下の側枠部材間に立設された左右一対の支柱と、両支柱の内側にその上下方向に所定間隔をあけて左右対称に架設された複数のトレイ支持用レールと、下側枠体の下面に取り付けられた複数の車輪と、両枠体における上下の側枠部材の後端部同士を連結する縦枠部材とを有し、各トレイ支持用レールは前側または後側に向かって高くなる勾配が付されている、トレイ搬送車。
【請求項２】
支柱および縦枠部材が側枠部材の側面より外方に立設されていることを特徴とする、請求項１記載のトレイ搬送車。
【請求項３】
上下の枠体における左右の側枠部材間に、少なくとも一本の補強枠部材が架設された、請求項１または請求項２記載のトレイ搬送車。
【請求項４】
左右の支柱の上端部間および下端部間に支柱補強部材が架設された、請求項１〜請求項３のうちのいずれか一項記載のトレイ搬送車。
【請求項５】
支柱が側枠部材の長さ中央部分に立設され、補強部材が支柱の後側近傍に架設されている、請求項１〜請求項４のうちのいずれか一項記載のトレイ搬送車。
【発明の詳細な説明】
【技術分野】
【０００１】
本発明は、病院や老人ホーム等において、主として配膳後の使用済み食器等が載ったトレイを回収するのに用いられるトレイ搬送車に関する。
【背景技術】
【０００２】
近年、病院や老人ホーム等において、調理した食品を冷蔵するための冷蔵室と調理した食品を温蔵するための温蔵室とを有する配膳車が使用されている。この配膳車によれば、温かい食品は冷めずに、また冷やした食品は温まらずに、入院患者等に配膳することができる。しかしながら、食事後に前記食品が入っていた食器を回収する場合（以下、「下膳」という）、使用済みの汚れた食器を再び前記配膳車に収容することは衛生上好ましくない。また、配膳車は、前述したように、食品を温めたり、冷やしたりするための温冷蔵設備が内蔵されているため、全体が大型で、重量もあることから、該配膳車を動かして下膳することは作業効率的にも不適切である。
【０００３】
そのため、配膳車のような温冷蔵設備を有さず、食事後の使用済み食器が載ったトレイを回収する専用のトレイ搬送車が使用されはじめているが、病院等の一つの施設で、配膳車と前記トレイ搬送車をそれぞれ複数ずつ所有する場合、それらの不使用時における駐車スペースの確保が難しいという問題がある。
【０００４】
また、このような問題に対処するために、両端に車輪を備えた左右一対の脚柱上に支柱をそれぞれ立設し、これら支柱の内側に互いに対向する枠体を取り付け、該枠体内に複数のトレイ支持用レールを上下方向に一定間隔をあけて設け、前記枠体と脚柱間には、左右の支柱の下端寄り部分間に架設された下部バーが進入するための下部バー進入用隙間を形成したトレイ搬送車が知られている。
【０００５】
前述したトレイ搬送車は、不使用時には、一方のトレイ搬送車の一側枠体を、他方のトレイ搬送車の両側枠体間に入れると共に、一方のトレイ搬送車の下部バーを他方のトレイ搬送車の一側枠体における下部バー進入用隙間に嵌め入れることで、両搬送車同士を前後方向に重ねるものであった。
【特許文献１】特許第２８９６３６７号公報
【特許文献２】特許第３３１８１７７号公報
【発明の開示】
【発明が解決しようとする課題】
【０００６】
しかしながら、前述したトレイ搬送車の場合、搬送車が順次、斜め方向に重ねられることとなるため、通常、方形の駐車スペースに対して収まりが悪く、駐車スペースが有効に利用し難い他、トレイ搬送車の重ね作業においても、一方の搬送車の下部バーを他方の搬送車の下部バー進入用隙間に嵌め入れる必要があることから、重ね合わせ作業に手間を要するという不都合もあった。
【０００７】
本発明の目的は、重ね合わせ作業が容易で、しかも重ね合わせた状態での駐車スペースの有効も図ることができるトレイ搬送車を提供することにある。
【課題を解決するための手段】
【０００８】
請求項１記載の本発明は、前側枠部材と前側枠部材の両端から後方斜め外側へ伸びる両側枠部材とからなり、後側が開放された平面から見て略台形状の上下一対の枠体と、これら枠体における上下の側枠部材間に立設された左右一対の支柱と、両支柱の内側にその上下方向に所定間隔をあけて左右対称に架設された複数のトレイ支持用レールと、下側枠体の下面に取り付けられた複数の車輪と、両枠体における上下の側枠部材の後端部同士を連結する縦枠部材とを有し、各トレイ支持用レールは前側または後側に向かって高くなる勾配が付されているトレイ搬送車である。
【０００９】
請求項２記載の本発明は、前記請求項１記載のトレイ搬送車について、支柱および縦枠部材が側枠部材の側面より外方に立設されていることを特徴とするものである。
【００１０】
請求項３記載の本発明は、請求項１または請求項２記載のトレイ搬送車について、上下の枠体における左右の側枠部材間に、少なくとも一本の補強枠部材が架設されていることを特徴とするものである。
【００１１】
請求項４記載の本発明は、前記請求項１〜請求項３のうちのいずれか一項記載のトレイ搬送車について、左右の支柱の上端部間および下端部間に支柱補強部材が架設されていることを特徴とするものである。
【００１２】
請求項５記載の本発明は、前記請求項１〜請求項４のうちのいずれか一項記載のトレイ搬送車について、支柱が側枠部材の長さ中央部分に立設され、補強部材が支柱の後側近傍に架設されていることを特徴とするものである。
【発明の効果】
【００１３】
本発明のトレイ搬送車は、前側枠部材と前側枠部材の両端から後方斜め外側へ伸びる両側枠部材とからなり、後側が開放された平面から見て略台形状の上下一対の枠体と、これら枠体における上下の側枠部材間に立設された左右一対の支柱と、両支柱の内側にその上下方向に所定間隔をあけて左右対称に架設された複数のトレイ支持用レールと、下側枠体の下面に取り付けられた複数の車輪と、両枠体における上下の側枠部材の後端部同士を連結する縦枠部材とを有し、各トレイ支持用レールは前側または後側に向かって高くなる勾配が付されている構造であるため、一方のトレイ搬送車の後方から他方のトレイ搬送車を前進させるだけで、他方の搬送車の上下枠体が、一方の搬送車の上下枠体における後方開放部から進入して、同上下枠体の両側枠部材に案内されてその前方へ進入する結果、一方の搬送車の後側に他方の搬送車が重なった状態となる。そして、更に他方の搬送車の後方から別の搬送車を前進させることで、更に新たな搬送車が重ねられることとなり、この場合、複数の搬送車が前後方向に一列に重ねられるため、病院等における方形の駐車スペースに対する収まりが良く、駐車スペースの有効利用が図られる。
【００１４】
また、搬送車同士の重ね作業も、前述したように、一方の搬送車の後方から他方の搬送車を前進させるだけで良く、従来のように、両搬送車の特定部位同士を嵌め合わせたりする必要がないため、重ね作業も容易に行える。
【発明を実施するための最良の形態】
【００１５】
次に、本発明の実施形態を図面にしたがって説明するが、本発明は係る実施形態に限定されるものではなく、その要旨の範囲内で種々の変形実施が可能である。
【００１６】
図１〜図４に示すように、トレイ搬送車(1)は、上下一対の枠体(2A)(2B)と、両枠体(2A)(2B)間に立設された左右一対の支柱(3)と、両支柱(3)の内側にその上下方向に一定所定間隔をあけて左右対称位置に架設された複数のトレイ支持用レール(4)と、前記下側枠体(2Ｂ)の下面に取り付けられた複数の車輪(5)を備えている。
【００１７】
上下の枠体(2A)(2B)は、前側枠部材(6)と、前側枠部材(6)の両端から後方斜め外側へ伸びる両側枠部材(7)とからなり、後方が開放された平面から見て略台形状となされ、枠体(2A)(2B)における上下の両側枠部材(7)の後端部(7a)同士が縦枠部材(8)を介して連結され、各トレイ支持用レール(4)は前側から後側に向かって高くなる勾配が付されている。
【００１８】
なお、各トレイ支持用レール(4)は、前記と逆の勾配が付されても良い。
【００１９】
左右の支柱(3)は、本実施形態では上下の両側枠部材(7)の長さ中央部分に立設され、支柱(3)の上端部(3a)間および下端部(3b)間には当該支柱(3)と同幅の支柱補強部材(9)が架設されている。より詳細には、図５に示すように、両側枠部材(7)の上面に横断面倒Ｌ字状の受板(12)が固定され、該受板(12)上に支柱(3)の下端(3b)および支柱補強部材(9)の一側端(9a)が突合せ状態で取り付けられている。また、係る構造は、支柱(3)の上端部(3a)および上側の支柱補強部材(9)についても同様である。そして、前述した取り付け構造によって、支柱(3)は側枠部材(7)の側面(7b)よりも外方に立設されている。
【００２０】
上下の枠体(2A)(2B)における支柱(3)の後側近傍の両側枠部材(7)間には補強枠部材(11)が架設されている。補強枠部材(11)の両端部は、両側枠部材(7)の側面に固定された板状ブラケット(13)を介して架設され、下側の補強枠部材(11)は前記支柱補強部材(9)とほぼ同じ高さ位置に設けられている。
【００２１】
なお、補強枠部材(11)および支柱補強部材(9)は、必要に応じて省略される場合もある。
【００２２】
縦枠部材(8)は、両側枠部材(7)の後端部(7a)において、両側枠部材(7)の側面より外側に取り付けられている。
【００２３】
両側の支柱(3)に多段に架設されたトレイ支持用レール(4)は、図６に示すように、支柱(3)の内側面に固定されたＬ字状ブラケット(17)を介して支柱(3)に取り付けられ、また左右対称位置のトレイ支持用レール(4)においては、その前端間および後端間にストッパーバー(15)が設けられ、該ストッパバー(15)を介して左右対称のトレイ支持用レール(4)の前端同士および後端同士が連なった構造となされている。そして、図２に示すように、トレイ(T)は、左右のトレイ支持用レール(4)によって支持されると共に、前記ストッパーバー(15)によりトレイ(T)が当該トレイ搬送車(1)の前方或いは後方への落下が防止される。
【００２４】
なお、前記トレイ支持用レール(4)には、合成樹脂製キャップが取り付けられ、左右対称位置のキャップ間に前記ガイドバー(15)が架設される場合もある。
【００２５】
次に、前述した構成のトレイ搬送車同士を重ねる場合、図７および図８に示すように、一方のトレイ搬送車(1)の後方から他方のトレイ搬送車(21)を前進させるだけで、他方の搬送車(21)の上下枠体(2A)(2B)が、一方の搬送車の上下枠体(2A)(2B)における後方開放部(16)から進入すると共に、同枠体(2A)(2B)の両側枠部材(7)に案内されて前進し、その結果、一方の搬送車(1)の後側に他方の搬送車(21)が重なった状態となる。そして、更に他方の搬送車(21)の後方から別の搬送車を前進させることで、更に新たな搬送車が重ねられることとなり、この場合、複数の搬送車(1)(21)が前後方向に一列に重ねられる。
【産業上の利用可能性】
【００２６】
本発明に係るトレイ搬送車は、前述したように、簡単な操作によって当該搬送車同士を重ねることができ、しかも前後方向に直線的に重ねられるため、通常方形の駐車スペースに容易に収まることから、病院、老人ホーム等の種々の施設での幅広い利用が期待できる。
【図面の簡単な説明】
【００２７】
【図１】本発明に係るトレイ搬送車の後面斜視図である。
【図２】本発明に係るトレイ搬送車の後面図である。
【図３】本発明に係るトレイ搬送車の側面図である。
【図４】本発明に係るトレイ搬送車の前面斜視図である。
【図５】枠体への支柱の取付構造を示す拡大図である。
【図６】支柱へのトレイ支持用レールの取付構造を示す拡大図である。
【図７】トレイ搬送車同士の重ね合わせ状態を示す後面斜視図である。
【図８】トレイ搬送車同士の重ね合わせ状態を示す平面斜視図である。
【符号の説明】
【００２８】
１  トレイ搬送車
２Ａ・２Ｂ  枠体
３  支柱
４  トレイ支持用レール
５  車輪
６  前側枠部材
７  両側枠部材
８  縦枠部材
９  支柱補強部材
１１  補強枠部材
【図１】
2007236758.tif 000003
【図２】
2007236758.tif 000004
【図３】
2007236758.tif 000005
【図４】
2007236758.tif 000006
【図５】
2007236758.tif 000007
【図６】
2007236758.tif 000008
【図７】
2007236758.tif 000009
【図８】
2007236758.tif 000010